(57)【特許請求の範囲】
【請求項１】
磁力を有して表面が鏡面に形成されている底板部と、この底板部の縁部に連設されるとともに照明機能を有する側壁部とを備え、前記底板部の鏡面をなす表面は磁性材料からなる部品を磁力で付けて一時保管する機能を有するエスカレータ保守点検用マグネットトレイであって、このマグネットトレイの厚みに相当する前記側壁部の高さは、エスカレータのステップに取り付けられた駆動ローラとエスカレータのトラス部の内壁面との間の隙間に配置できる寸法に設定されている、エスカレータ保守点検用マグネットトレイ。
【請求項２】
請求項１に記載のエスカレータ保守点検用マグネットトレイにおいて、
前記底板部の裏面にはマグネットシートが貼着されていることを特徴とするエスカレータ保守点検用マグネットトレイ。
【請求項３】
請求項１または２に記載のエスカレータ保守点検用マグネットトレイにおいて、
前記照明機能は、前記側壁部に埋設された光源と、前記側壁部の内側面に設けられて前記光源からの光を拡散させる光拡散板とにより実現されることを特徴とするエスカレータ保守点検用マグネットトレイ。
【請求項４】
請求項１〜３のいずれか一項に記載のエスカレータ保守点検用マグネットトレイにおいて、
外側面にフックが折り畳み可能に設けられていることを特徴とするエスカレータ保守点検用マグネットトレイ。
【発明の詳細な説明】
【技術分野】
【０００１】
本発明は、マグネットトレイに係り、特に、エスカレータの保守点検等に用いられるマグネットトレイに関する。
【背景技術】
【０００２】
従来、商業施設や駅ホーム等において、上下方向に異なる階床へ移動するために利用される昇降機としてエスカレータが設置されている。エスカレータは、多数のステップが階段状をなしながら上り移動または下り移動することによって、ステップ上に乗っている利用者を上階または下階に移動させることができる。
【０００３】
エスカレータは、下階と上階との間に架設されてエスカレータ自体を支持する金属板製のトラスを備える。トラスの内部には２本の無端状ステップチェーンに両端部がそれぞれ連結された多数のステップが周回状に配置されており、各ステップチェーンが駆動スプロケットによって回転駆動されることによりステップが移動するようになっている。
【０００４】
また、各ステップには、ステップ幅方向に貫通して設けられる駆動軸の両端部に２つの駆動ローラが回転可能に取り付けられている。この駆動ローラは、駆動軸に連結されるステップチェーンの牽引力によるステップの移動に伴って、トラスに設置されるガイドレールに接触してガイドされながら回転するようになっている。また、各ステップには、ステップ自体の幅方向両端に２つの追従ローラが回転可能に取り付けられている。この追従ローラは、上記駆動ローラ用ガイドレールとは別にトラス内に設けられたガイドレールに接触してガイドされながら回転するようになっている。
【０００５】
駆動ローラおよび追従ローラは、外周部が例えばウレタンゴム等からなる弾性リングで構成されている。この弾性リングは、エスカレータの長時間作動によってガイドレールとの接触により磨耗したり、あるいは、経時的劣化等に起因して破断または切断したりする消耗品であるため、エスカレータが建物に設置された後にエスカレータ保守員によるローラ取替作業が必要になってくる。
【０００６】
これに関連する先行技術文献として、例えば特開２００９−２２１０１３号公報（以下、特許文献１という）には、エスカレータの駆動ローラ取替作業用具が開示されている。この用具は、上部トラスまたは下部トラス内でのステップ駆動ローラの取り替え作業で使用されるものであって、トラス内における駆動ローラの移動経路とトラス側壁面との間の隙間に配置され、駆動軸の端部に駆動ローラを保持するための保持部材を作業者が間接的に視認できるようにする鏡を備えた用具が記載されている。また、この用具は、上記鏡の側から駆動ローラを照明する照明装置を備えてもよいことが記載されている。
【先行技術文献】
【特許文献】
【０００７】
【特許文献１】特開２００９−２２１０１３号公報
【発明の概要】
【発明が解決しようとする課題】
【０００８】
上記特許文献１に記載の用具は、上部トラスの側壁面上に固定されると記載されているものの、どのように固定されるかについて具体的に考慮されていない。したがって、用具を固定するための別の部材が必要であったり、また、用具の取付位置を適宜に変えることができないことがある。
【０００９】
さらに、駆動軸から例えばＣリング等の保持部材を取り外したとき、作業者が保持部材を手で握っておくか又はそれを一時的に置いておく必要があるが、握った保持部品の落下による紛失のおそれや新品の駆動ローラを装着した後に保持部材を再び取り付ける際の作業性を考慮すると、駆動ローラの交換作業位置の付近で保持部材を確実に一時保管できるようにすることが望ましい。
【００１０】
本発明の目的は、例えばエスカレータのステップに設けられる駆動ローラおよび追従ローラの取替作業等の作業効率を向上させることができるマグネットトレイを提供することにある。
【課題を解決するための手段】
【００１１】
本発明に係るエスカレータ保守点検用マグネットトレイは、磁力を有して表面が鏡面に形成されている底板部と、この底板部の縁部に連設されるとともに照明機能を有する側壁部とを備え、前記底板部の鏡面をなす表面は磁性材料からなる部品を磁力で付けて一時保管する機能を有するエスカレータ保守点検用マグネットトレイであって、このマグネットトレイの厚みに相当する前記側壁部の高さは、エスカレータのステップに取り付けられた駆動ローラとエスカレータのトラス部の内壁面との間の隙間に配置できる寸法に設定されているものである。
【００１２】
本発明に係るエスカレータ保守点検用マグネットトレイにおいて、前記底板部の裏面にはマグネットシートが貼着されていてもよい。
【００１３】
また、本発明に係るエスカレータ保守点検用マグネットトレイにおいて、前記底板部の裏面にはマグネットシートが貼着されていてもよい。
【００１４】
また、本発明に係るエスカレータ保守点検用マグネットトレイにおいて、照明機能は、側壁部に埋設された光源と、側壁部の内側面に設けられて光源からの光を拡散させる光拡散板とにより実現されてもよい。
【００１５】
さらに、本発明に係るエスカレータ保守点検用マグネットトレイにおいて、外側面にフックが折り畳み可能に設けられていてもよい。
【発明の効果】
【００１６】
本発明に係るエスカレータ保守点検用マグネットトレイによれば、磁力を有する底板部と、この底板部の縁部に連設されるとともに照明機能を有する側壁部とを備えることで、例えばトラス側壁等の磁性材料からなる場所または部材に底板部を磁力で付けて置くことによりマグネットトレイを作業位置近傍に容易に配置することができる。また、作業位置の変更に応じてマグネットトレイの取付位置も容易に変更できる。さらに、マグネットトレイの側壁部に備えられた照明機能によって作業位置を明るく照明することができる。さらにまた、取り外した磁性材からなる部品（例えば、ボルト、ナット、リング等）をマグネットトレイの底部に一時的に付けて置くことで、部品の一時保管を容易かつ確実に行える。したがって、これらのことから、特に暗くて狭い場所での部品の取り付け、交換等の作業であるエスカレータのステップの駆動ローラ交換作業の効率を向上させることができる。
【図面の簡単な説明】
【００１７】
【図１】本発明の一実施形態であるマグネットトレイが駆動ローラ取替作業に使用されるエスカレータの概略構成図である。
【図２】１つのステップの斜視図である。
【図３】ステップに取り付けられる駆動ローラの側面図である。
【図４】ランディングプレートを取り外した状態で上部トラス部を上方から見た様子を示す図である。
【図５】本実施形態のマグネットトレイの正面図である。
【図６】図５中のＡ−Ａ線断面図である。
【図７】マグネットトレイの使用状態を示す図である。
【図８】マグネットトレイの変形例を示す、図６と同様の断面図である。
【発明を実施するための最良の形態】
【００１８】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００１９】
図１は、本発明の一実施形態であるマグネットトレイ５０（図４参照）を用いて保守点検作業が行われるエスカレータ１０の概略構成図である。エスカレータ１０は、エスカレータ自体を下方から支持する例えば金属板製のトラス１２と、トラス１２の上部に設けられる移動手摺り部１４および欄干部１６とを備える。
【００２０】
トラス１２は、上階の床１８に設置される上部トラス部１２ａ、下階の床２０に設置される下部トラス部１２ｂ、および上部トラス部１２ａと下部トラス部１２ｂとの間を傾斜した姿勢で連結する傾斜トラス部１２ｃを含んで構成される。
【００２１】
上部トラス１２ａは、上階の床１８と面一をなす取り外し可能なランディングプレート１３で覆われている。上部トラス部１２ａ内には、モータおよび減速機等を含む駆動ユニット（図示せず）や、駆動ユニットによって回動駆動される駆動スプロケット２２が配置されている。一方、下部トラス部１２ｂ内には、従動スプロケット２４が配置されている。
【００２２】
なお、図１に示すエスカレータ１０の下部トラス部１２ｂは、設置建物の都合により点線１１で示す通常のものよりも水平方向長さが短い短縮下部トラス部として例示されている。この短縮下部トラス部の場合、内部にエスカレータ管理会社の保守員（作業員）が入って作業できる空間がほとんど無いため、この場合には後述するように上部トラス部１２ａ内で駆動ローラ取替等の保守点検作業が行われることになる。
【００２３】
トラス１２内には、多数のステップ２６が設けられている。各ステップ２６の幅方向両端部には、駆動スプロケット２２と従動スプロケット２４とに掛け渡された無端状のステップチェーン２８が固定されている。これにより、駆動ユニットによって駆動スプロケット２２が回転駆動されることによって、各ステップ２６は階段状をなしながら下階と上階との間を上り移動または下り移動するようになっている。
【００２４】
図２は、１つのステップ２６を示す斜視図である。ステップ２６は、利用者が乗る踏板２９と、踏板２９の縁部に連結され、ステップ２６が階段状をなしたときの段差部に相当するライザ３０と、ステップ２６の幅方向両側において踏板２９およびライザ３０にそれぞれ連結される、三角状開口部を含む連結部材３２とを有する。
【００２５】
ステップ２６において、ライザ３０の両側下部には、外周部がウレタンゴム等の弾性リング部からなる追従ローラ３４が回転可能に取り付けられている。また、ステップ２６において踏板２９の下方には、駆動軸３６が連結部材３２を貫通して固定されており、この駆動軸３６の両端部がステップ２６の側面からそれぞれ大きく突出している。そして、駆動軸３６には、ステップ２６の両側においてステップチェーン２８が連結されるとともに、両端部に駆動ローラ３８が回転可能にそれぞれ取り付けられている。
【００２６】
図３に示すように、駆動ローラ３８は、外周部がウレタンゴム等の弾性リング部４０を有している。また、駆動ローラ３８は、駆動軸３６に形成された環状溝３７に嵌め込まれた保持部材としてのＣリング４２によって、駆動軸３６の端部から抜け出ないように保持されている。
【００２７】
なお、本実施形態では、駆動ローラ３８の保持部材としてＣリング４２を用いているが、この保持部材は他の形状のリング部材であってもよいし、回転可能になっている限りにおいてボルトやナット等の締結部材であってもよい。これらのＣリング、ボルト、ナット等は、通常、磁性材料である例えば鉄等の金属により形成されている。
【００２８】
追従ローラ３４および駆動ローラ３８は、それぞれ個別のガイドレール（図示せず）と接触しつつガイドされて、ステップ２６の移動に伴って回転しながら移動する。ただし、駆動ローラ用ガイドレールは、ステップチェーン２８が駆動スプロケット２２に至る手前辺りで途切れている。そのため、上部トラス部１２ａ内において駆動ローラ３８は、駆動スプロケット２２の外周にほぼ沿った円弧状の軌跡で通過する移動経路に沿って露出した状態で移動することになる。このことは、下部トラス部１２ｂ内においても同様である。
【００２９】
図４は、ランディングプレート１３を取り外した状態で上部トラス部１２ａを上方から見た様子を示す。エスカレータ１０の保守点検等の作業を行うエスカレータ管理会社の作業者Ｍは、上部トラス部１２ａ内に入り込んで作業を行うことになる。この場合、上述したように駆動ローラ３８は、ステップ２６の側面から大きく突出した駆動軸３６の端部に取り付けられているために、駆動ローラ３８と上部トラス部１２ａの側壁面１２ｄとの間の隙間ｄは例えば約１５ｃｍ程度しかなく、作業者Ｍは駆動ローラ３８を保持するＣリング４２を直視できない状態にある。また、このように狭い隙間ｄは、上部トラス部１２ａが設置されている上階の天井照明が上階の床１８や駆動スプロケット２２で遮られて影になるために薄暗いことが多い。
【００３０】
駆動ローラ３８のウレタンゴム製の弾性リング部４０は、エスカレータ１０の長時間作動によってガイドレールとの接触により磨耗したり、あるいは、経時的劣化等に起因して破断または切断したりする消耗品であるため、作業者Ｍによる駆動ローラ３８の取替作業が必要になってくる。このことは同じく弾性リング部を外周部に有する追従ローラ３４についても同様である。
【００３１】
上部トラス１２ａ内でローラ取替作業を行おうとする作業者Ｍは、上部トラス部１２ａの側壁面１２ｄが邪魔になってローラ保持用Ｃリング４２を直視しにくいため、Ｃリング４２両端の２つの穴にＣリングプライヤＰの２本の先端を手探りや勘を頼りに挿入しなければならず、ローラ取替作業に熟練や時間を要する原因になっていた。特に、数十段あるステップ２６に４つずつある全てのローラ３４，３８を総取替えするような場合には、多大な時間および労力を要することになる。
【００３２】
また、取り外したＣリング４２は、ローラ交換後に再装着することになるため、それまで一時的に保管しておく必要があるが、その保管場所が作業位置から離れているとＣリング４２をそこに置いたりそこから取り上げたりする度に作業者Ｍが姿勢を変えなければならず、作業効率が低下することとなる。あるいは、一旦取り外したＣリング４２を作業者Ｍが手で握って保持しておくことも考えられるが、不意に落下して紛失したり或いは周囲の可動要部材間に落ち込んで取れなくなったりするおそれがある。
【００３３】
そこで、このようなローラ取替作業において本実施形態のマグネットトレイ５０を上部トラス部１２ａの側壁部１２ｄ上に付けて使用することで、作業効率を大幅に向上させることを意図している。次に、マグネットトレイ５０の構成について説明する。
【００３４】
図５は、マグネットトレイ５０の正面図である。図６は、図５中のＡ−Ａ線断面図である。図５に示すように、マグネットトレイ５０は、トレイ部５２と電源部５４とを一体に又は着脱可能に備える。トレイ部５２は、例えば長方形状の底板部５６と、この底板部５６の四方縁部に連なって立設される側壁部５８とを有する。底板部５６と側壁部５８とは一体に形成されており、例えばアルミ板等の金属板を絞り加工して形成されてもよいし、あるいは、樹脂成形によって形成されてもよい。
【００３５】
マグネットトレイ５０の底板部５６の表面は、例えば金属めっき等の仕上げ処理を施すか又は鏡面を有する金属箔等を貼り付ける等によって鏡面に形成されている。これにより、マグネットトレイ５０を上部トラス部１２ａの側壁面１２ｄ上に付けた状態で、作業者Ｍは底板部５６の表面を介してＣリング４２を間接的に視認することが可能になる。また、底板部５６の裏面には薄いマグネットシート６０が貼着されており、これにより底板部５６が磁力を有するように構成されている。したがって、上部トラス部１２ａの側壁面１２ｄが例えば鉄板等の磁性材によって形成される場合、別の取り付け部材を必要とせずに、マグネットトレイ５０の底板部５６を磁力によって側壁面１２ｄ上に簡単に付けておくことができる。
【００３６】
なお、本実施形態ではマグネットシートを貼着して底板部に磁力を付与するように構成したが、これに限定されるものではない。例えば、複数の磁石片を分布状に貼着してもよいし、あるいは、マグネットトレイの底板部を強磁性材料で形成してそれ自体を永久磁石として着磁してもよい。
【００３７】
図５および図６に示すように、マグネットトレイ５０の側壁部５８は、底板部５６と一体をなす側壁基部５８ａと、側壁基部５８ａの内側面上に配置された光拡散板５９によって構成される。そして、長方形枠状をなす側壁部５８の対向する２つのコーナー部には例えばＬＥＤ等の光源６２が埋設されている。これらの光源６２は、電源部５４からの電力供給によって発光し、この光が光拡散板５９によって拡散されて平面状に光ることによって照明機能を果たすようになっている。
【００３８】
なお、本実施形態では、側壁部５８が四方周囲にあるものとして説明するが、これに限定されるものではなく、照明機能を有する側壁部が底板部の少なくとも一方の縁部に連設されていればよく、例えば電源部に沿って位置する側壁部が省略されてもよい。また、光源には種々の発光体を用いることができ、例えば有機ＥＬ層を電極層で挟んで構成される面状発光体を光源として用いてもよく、この場合には光拡散板に代えて透明または半透明の保護板を設けるのが好ましい。
【００３９】
マグネットトレイ５０の厚みに相当する側壁部５８の高さは、例えば数ｃｍ〜約十数ｃｍであることが好ましい。このような寸法に形成することで、エスカレータ１０のローラ取替作業において上記隙間ｄに配置して使用することができる。ただし、マグネットトレイ５０の厚みおよび大きさは、部品交換等の作業が行われる環境に応じて適宜に設計され得るものである。
【００４０】
電源部５４には、バッテリ６４が内蔵されている。バッテリ６４には、上記光源６２に電力供給するための導線６６が接続されている。導線６６は、側壁基部５８ａと光拡散板５９との間を配線されて光源６２に接続されている。また、図示されていないが、導線６６は、側壁部５８の三方周囲に配線されて２つの光源６２間を直列に電気接続されてもよい。
【００４１】
さらに、導線６６には、光源６２の電力供給をオン・オフするためのスイッチ６８が設けられている。このスイッチ６８は、作業者Ｍが押し操作またはスライド操作等することによって光源６２が点灯または消灯するようになっている。
【００４２】
バッテリ６４には、充放電可能な二次電池が好適に用いられるが、これに限定されるものではなく、例えば使い捨て型の乾電池が用いられてもよい。また、バッテリ６４の充電が尽きた場合に外部電源に接続して光源６２を点灯させるための給電インレットが電源部５４に設けられてもよい。
【００４３】
電源部５４の外側面（マグネットトレイの外側面）には、フック７０が配置されている。フック７０は、下端部が回動可能に軸支されており、図５中の点線７２で示すように電源部５４の側面の凹部内へ折り畳み可能になっている。このフック７０を立ち上げて引っ掛けることによって、マグネットトレイ５０を吊り下げて用いることもできるようになっている。
【００４４】
続いて、図４および７を参照して、上記構成からなるマグネットトレイ５０の使用例について説明する。図７は、マグネットトレイ５０の使用状態を示す図である。
【００４５】
駆動ローラ３８の取替作業を行う際、上部トラス部１２ａ内に入った作業者は、まず、スイッチ６８をオン操作して光源６２を点灯させたマグネットトレイ５０を側壁部１２ｄ上に取り付ける（図４参照）。このとき、底板部５６が有する磁力によってマグネットとレイ５０を例えば鉄板からなる側壁部１２ｄに簡単に付けて配置することができる。また、作業位置に応じて適宜にマグネットトレイ５０の取付位置を側壁面１２ｄ上で変更することができる。
【００４６】
マグネットトレイ５０を作業位置近傍の適所に取り付けた後、作業者Ｍは、マグネットトレイ５０の底板部５６の表面に映る像を視認しながらＣリングプライヤＰの２つの先端をＣリング４２の穴に挿入してローラ取り外し作業を行う。このとき、マグネットトレイ５０の側壁部５８が有する照明機能によって明るく照らされているので、マグネットトレイ５０でＣリング４２の取り外し（および取り付け）作業を迅速かつ容易に行うことができる。
【００４７】
また、一旦取り外したＣリング４２は、駆動ローラ３８を新品に交換した後に再装着されるまで、マグネットトレイ５６の底板部５６上に磁力により付けて一時保管することができる（図５参照）。このことは、ローラを回転可能に保持する保持部材が磁性材料からなる他の保持部材（例えば、図５，６に示すナット４３）でも同様である。したがって、作業者Ｍは、作業位置近傍にあるマグネットトレイ５０上にＣリング４２等の保持部材または締結部材を迅速かつ確実に一時保管することが可能になる。
【００４８】
上記のようにエスカレータ１０の駆動ローラ取替作業において本実施形態のマグネットトレイ５０を用いることによって、駆動ローラ３８の取替作業の大幅に向上させることができる。このことは、直接に視認しながらＣリングの取り付けおよび取り外しを行える追従ローラ３４の取替作業においても、上記のような照明機能および一時保管機能によって作業効率の大幅な向上を図れる。
【００４９】
なお、本発明に係るマグネットトレイは、上述した実施形態に限定されるものではなく、種々の変更および改良が可能である。
【００５０】
例えば、図８に示すように、照明機能を有する側壁部５８が底板部５６に対して鈍角θをなして外側へ広がるように形成されてもよい。このようにすれば、側壁部５８による照明で作業位置をより直接的に照らして手元を明るくするのに有効である。
【００５１】
また、上記ではマグネットトレイ５０がエスカレータ１０のローラ取替作業に好適に用いられる例について説明したが、本発明に係るマグネットトレイ５０は、エスカレータのローラ以外の他の部品の交換、組付け作業に用いられてもよいし、あるいは、エスカレータ以外のどのような機械、装置、設備等における部品の交換、組付け等の作業において用いられてもよい。この場合、マグネットトレイは、底板部が有する磁力の作用によって、フレーム、ビーム、カバー、ケース等の壁以外の磁性部材に取り付けて使用されてもよい。
【符号の説明】
【００５２】
１０  エスカレータ装置、１２  トラス、１２ａ  上部トラス部、１２ｂ  下部トラス部、１２ｃ  傾斜トラス部、１２ｄ  側壁面、１２ｅ  底面、１３  ランディングプレート、１４  移動手摺り部、１６  欄干部、１８  上階の床、２０  下階の床、２２  駆動スプロケット、２４  従動スプロケット、２６  ステップ、２８  ステップチェーン、２９  踏板、３０  ライザ、３２  連結部材、３４  追従ローラ、３６  駆動軸、３７  環状溝、３８  駆動ローラ、４０  弾性リング部、４２  Ｃリング、４３  ナット、５０  マグネットトレイ、５２  トレイ部、５４  電源部、５６  底板部、５６ａ  底板部表面、５６ｂ  底板部裏面、５８  側壁部、５８ａ  側壁基材、５９  光拡散板、６０  マグネットシート、６２  光源、６４  バッテリ、６６  導線、６８  スイッチ、７０  フック、７２  フック折り畳み位置、ｄ  隙間、Ｍ  保守員、Ｐ  Ｃリングプライヤ。
【図１】
0005787544.tif 000002
【図２】
0005787544.tif 000003
【図３】
0005787544.tif 000004
【図４】
0005787544.tif 000005
【図５】
0005787544.tif 000006
【図６】
0005787544.tif 000007
【図７】
0005787544.tif 000008
【図８】
0005787544.tif 000009